(57)【要約】  【課題】  低周波数領域でボイスコイルの振幅を大きくすることができると共に、ボイスコイルにより振動する振動板にティンセルワイヤが接触することを防止することができるスピーカーを提供する。  【解決手段】  スピーカーは、環状のフレームと、磁気回路部と、振動板および前記振動板を振動させるボイスコイルを有する振動部と、外部電源に接続された端子と、外部の電源を前記ボイスコイルに接続するティンセルワイヤと、そして、前記ボイスコイルの外面に設けられ前記ボイスコイルの振動の際、前記ボイスコイルの振幅を大きくし、前記ボイスコイルにより前記振動板が振動する際、前記ティンセルワイヤが上記振動板に接触することを防止するウェイトリングとを備える。  【選択図】  図３
2004282736.tif 000002
【特許請求の範囲】
【請求項１】
中央部に貫通孔が形成された環状のフレームと、
前記フレームの貫通孔が形成された部位の外側に結合され磁気力を生成する磁気回路部と、
一端部側が前記フレームの上側で前記貫通孔の内側に設けられた振動板と、上端部側は前記振動板に結合され、下端部側は前記磁気回路部の内側に位置付けられて電源が印加されると前記磁気回路部との作用により振動して前記振動板を振動させるボイスコイルとを有する振動部；
前記フレームの一側に設けられ外部の電源と接続された端子と、
一端は前記端子に接続され、他端は前記ボイスコイル側に接続されて、外部の電源を前記ボイスコイルに接続するティンセルワイヤと、そして、
前記ボイスコイルの外面に設けられ前記ボイスコイルの振動の際、前記ボイスコイルの振幅を大きくし、前記ボイスコイルにより前記振動板が振動する際、前記ティンセルワイヤが上記振動板に接触することを防止するウェイトリングと、を備えることを特徴とするスピーカー。
【請求項２】
前記ウェイトリングは、前記ボイスコイルの外面に固定されるリング形状の結合部と、前記結合部の中心を基準にして対称となるように前記結合部の一側から外側に延びる複数の拡張部とを有し、
前記複数の拡張部のいずれかは、前記端子と前記振動板との間に位置し、前記ボイスコイルと前記ティンセルワイヤとが接続されるようにする接続部を備えることを特徴とする請求項１記載のスピーカー。
【発明の詳細な説明】
【技術分野】
【０００１】
本発明は、ボイスコイルにウェイトリングを結合して低周波数領域でボイスコイルの振幅を大きくすることができるスピーカーに関する。
【背景技術】
【０００２】
添付の図面を参照しながら従来のスピーカーを詳細に説明する。図１は、従来のスピーカーの断面図である。
図示のように、従来のスピーカー１は、中央部に貫通孔が形成された環状のフレーム１０を有する。フレーム１０の貫通孔が形成された部位の外側には、ヨーク２１とマグネット２３及びプレート２５を備え、磁気力を生成する磁気回路部２０が結合される。
【０００３】
フレーム１０の内側には振動部３０が設けられるが、振動部３０は一端部側がフレーム１０の上側に結合された振動板３１と、上端部側は振動板３１に結合され下端部側は磁気回路部２０の内側に位置しており電源が印加されると磁気回路部２０との作用により上下振動するボイスコイル３３とを有する。
ボイスコイル３３は、フレーム１０の一側に設けられた端子４０にティンセルワイヤ４５を介して接続する。外部の電源が端子４０を通じてボイスコイル３３に印加されると、ボイスコイル３３は磁気回路部２０との作用により振動させられ、ボイスコイル３３の振動により振動板３１が振動して音響が生じる。
【０００４】
しかし、上記のように構成された従来のスピーカーは、ボイスコイル３３の自重のみによりボイスコイル３３が振動させられるので、低周波数領域ではボイスコイル３３の振幅が小さくて低音効率が低下する問題がある。
また、ティンセルワイヤ４５が振動板３１に近接して設けられるので、ボイスコイル３３により振動板３１が振動する際、振動板３１にティンセルワイヤ４５が接触する。これにより、ノイズが生じる問題がある。
【特許文献１】米国特許公報第４，３８７，２７５号
【特許文献２】米国特許公報第４，４７７，６９９号
【発明の開示】
【発明が解決しようとする課題】
【０００５】
本発明は、前記のような従来技術の問題の解決のため、案出したものであって、本発明の目的は、ボイスコイルにウェイトリングを結合して、低周波数領域でボイスコイルの振幅を大きくすることができると共に、ボイスコイルにより振動する振動板にティンセルワイヤが接触することを防止することができるスピーカーを提供することである。
【課題を解決するための手段】
【０００６】
前記の目的の達成のための本発明に係るスピーカーは、中央部に貫通孔が形成された環状のフレームと、前記フレームの貫通孔が形成された部位の外側に結合され磁気力を生成する磁気回路部と、一端部側が前記フレームの上側で前記貫通孔の内側に設けられた振動板と、上端部側は前記振動板に結合され、下端部側は前記磁気回路部の内側に位置付けられて電源が印加されると前記磁気回路部との作用により振動して前記振動板を振動させるボイスコイルとを有する振動部と、前記フレームの一側に設けられ外部の電源と接続された端子と、一端は前記端子に接続され、他端は前記ボイスコイル側に接続されて、外部の電源を前記ボイスコイルに接続するティンセルワイヤと、そして、前記ボイスコイルの外面に設けられ前記ボイスコイルの振動の際、前記ボイスコイルの振幅を大きくし、前記ボイスコイルにより前記振動板が振動する際、前記ティンセルワイヤが上記振動板に接触することを防止するウェイトリングとを備えることを特徴とする。
【０００７】
また、前記ウェイトリングは、前記ボイスコイルの外面に固定されるリング形状の結合部と、前記結合部の中心を基準にして対称となるように前記結合部の一側から外側に延びる複数の拡張部とを有し、前記複数の拡張部のいずれかは、前記端子と前記振動板との間に位置し、前記ボイスコイルと前記ティンセルワイヤとが接続されるようにする接続部を備えることを特徴とする。
【発明の効果】
【０００８】
以上、説明したように、本発明に係るスピーカーは、ボイスコイルにウェイトリングが結合されてボイスコイルの重量を増加させるので、低周波数領域でボイスコイルの振幅が大きくなって低音効率が向上する。
また、ティンセルワイヤが接続されるウェイトリングの拡張部が端子と対向するように振動板と端子との間に位置付けられ、拡張部と端子との間にティンセルワイヤが位置するので、振動板の振動の際、ティンセルワイヤが振動板に接触することはない。
【発明を実施するための最良の形態】
【０００９】
以下、添付の図面を参照しながら本発明の一実施の形態に係るスピーカーを詳細に説明する。図２は、本発明の一実施の形態に係るスピーカーの断面図であり、図３は本発明の一実施の形態に係るウェイトリングの斜視図である。
図２に示すように、本発明のスピーカー１００は、中央部に貫通孔が形成された環状のフレーム１１０を有する。フレーム１１０の貫通孔が形成された外面側には磁気力を生成する磁気回路部１２０が結合される。該磁気回路部１２０は中央部が上側に突出形成されたヨーク１２１と、ヨーク１２１の凸部が中央部側を貫通する形でヨーク１２１の縁部に順次積層され結合されるリング形状のマグネット１２３及びプレート１２５を有する。
【００１０】
フレーム１１０の内部には磁気回路部１２０との作用により振動して音響を生じさせる振動部１３０が設けられる。振動部１３０は、一端部側がフレーム１１０の上側に結合された振動板１３１と、上端部側は振動板１３１に結合され下端部側はヨーク１２１の凸部の外面とプレート１２５の内面との間に位置付けられて、電源が印加されると磁気回路１２０との作用により上下振動するボイスコイル１３３と、外周縁側はフレーム１１０に固定され、内周縁側はボイスコイル１３３の外面に固定されてボイスコイル１３３が上下振動する際、ボイスコイル１３３が左右に揺れることを防止するダンパー１５とを有する。
【００１１】
フレーム１１０の一側には外部の電源と接続される端子１４０が設けられ、端子１４０はティンセルワイヤ１４５を介してボイスコイル１３３と接続される。また、ボイスコイル１３３にはウェイトリング１５０が結合される。このウェイトリング１５０は、ボイスコイル１３３と共に振動しながらボイスコイル１３３の振幅を大きくすると共に、ボイスコイル１３３により振動させられる振動板１３１にティンセルワイヤ１４５が接触することを防止する。
【００１２】
ウェイトリング１５０は、ボイスコイル１３３の外周面に固定されるリング形状の結合部１５１と、結合部１５１の一側から外側に延長形成される拡張部１５３とを有する。拡張部１５３は、結合部１５１の中心を基準にして対称となるように複数個形成されるが、これは、ボイスコイル１３３を、偏らない形で、正確に上下に振動させるためである。
拡張部１５３ａには、ボイスコイル１３３の引出線１３３ａとティンセルワイヤ１４５とが接続される接続片１５５が結合され、接続片１５５が結合された拡張部１５３ａは、端子１４０と振動板１３１との間に位置付けされて端子１４０と対向する。接続片１５５が結合された拡張部１５３ａの重量と他の拡張部１５３ｂの重量は同一である。一方、ティンセルワイヤ１４５は端子１４０と接続片１５５が結合された拡張部１５３ａとの間に位置するように、一段は端子１４０に接続され、他段は接続片１５５に連結されて接続片１５５を介してボイスコイル１３３の引出線１３３ａと接続される。
【００１３】
前記のように構成された本発明のスピーカーはウェイトリング１５０によりボイスコイル１３３の重量が増加されるので、ボイスコイル１３３が振動する際、ボイスコイル１３３の振幅が大きくなる。これにより、低周波数領域でのボイスコイル１３３の振幅も大きくなって低音効率が向上する。
また、ティンセルワイヤ１４５が端子１４０と拡張部１５３との間に位置されるので、ボイスコイル１３３により振動板１３１が振動する際、ティンセルワイヤ１４５が振動板１３１に接触することはない。
【００１４】
以上、本発明の一実施の形態により本発明を説明したが、本発明が属する技術分野で通常の知識を有する者によれば本発明の技術的思想を外れない範囲で各種変更及び変形が可能である。
【図面の簡単な説明】
【００１５】
【図１】従来のスピーカーの断面図である。
【図２】本発明の一実施の形態に係るスピーカーの断面図である。
【図３】本発明の一実施の形態に係るウェイトリングの斜視図である。
【符号の説明】
【００１６】
１００  スピーカー
１１０  フレーム
１２０  磁気回路部
１３０  振動部
１４０  端子
１４５  ティンセルワイヤ
１５０  ウェイトリング
【図１】
2004282736.tif 000003
【図２】
2004282736.tif 000004
【図３】
2004282736.tif 000005